(57)【要約】【課題】ワイドアスペクトのモニタ画面にアスペクト比４：３の映像とＯＳＤとを表示する場合において、ユーザ利便性を向上しつつ、それぞれをより明瞭に表示する。【解決手段】検出手段１が回動可能なモニタ７の本体に対する位置、および映像信号ＳがＳＤ映像であるかを検出する。制御回路２が、検出手段１に基づき映像移動手段３及びＯＳＤ作成回路５に対して、映像信号Ｓのモニタ７の画面上における表示位置と、ＯＳＤ表示の位置を制御する。ＳＤ映像であるときは映像信号Ｓを左右いずれかに寄せ、ＯＳＤ表示と重ならないようにする。【選択図】図１
2006332938.tif 000002
【特許請求の範囲】
【請求項１】
画面のアスペクト比が４：３より横長であるワイドアスペクト画像を表示する装置であって、
入力映像のアスペクト比が４：３であることを検出する検出手段と、
該検出手段による検出結果に基づき水平方向の表示位置を決定する表示位置決定手段とを備え、
前記検出手段により映像のアスペクト比が４：３と検出手段されたとき、前記表示位置決定手段が、表示すべき映像を右、或いは左のいずれか一方に寄せて表示するようにしたことを特徴とするワイドアスペクト画像表示装置。
【請求項２】
前記ワイドアスペクト画像表示装置がＯＳＤ（オンスクリーンディスプレイ）表示機能を有しており、前記検出手段により映像のアスペクト比が４：３と検出手段されたとき、表示すべき映像が存在しない領域にＯＳＤ表示を行なうようにしたことを特徴とする請求項１記載のワイドアスペクト画像表示装置。
【請求項３】
前記ワイドアスペクト画像表示装置がモニタを備えていることを特徴とする請求項１記載のワイドアスペクト画像表示装置。
【請求項４】
前記モニタは、本体と所定の軸を中心に回動可能に設けられることを特徴とする請求項３記載のワイドアスペクト画像表示装置。
【請求項５】
前記モニタがタッチパネル機能を有しており、前記表示位置決定手段は、前記検出手段により映像のアスペクト比が４：３と検出手段されたとき、表示すべき映像が前記軸側に寄せられて表示されることを特徴とする請求項４記載のワイドアスペクト画像表示装置。
【請求項６】
前記表示位置決定手段は、前記検出手段により映像のアスペクト比が４：３と検出手段されたとき、表示すべき映像が軸側と反対側に寄せられて表示されることを特徴とする請求項４記載のワイドアスペクト画像表示装置。
【請求項７】
前記表示位置決定手段は、前記検出手段により映像のアスペクト比が４：３と検出手段されたとき、前記モニタの本体に対する位置に応じ、映像の表示位置を変化させるようにしたことを特徴とする請求項４記載のワイドアスペクト画像表示装置。
【発明の詳細な説明】
【技術分野】
【０００１】
本発明は、ワイドアスペクト比を有するも似たに映像を出力する画像表示装置に係り、特に、このようなワイドアスペクト画像表示装置においてアスペクト比が４：３の映像（以後「ＳＤ映像」−Ｓｔａｎｄａｒｄ  Ｄｅｆｉｎｉｔｉｏｎ映像−と称す）を表示できるようにしたものに関する。
【背景技術】
【０００２】
従来、アスペクト比１６：９であるワイドアスペクト画像表示装置にＳＤ映像を表示するものとしては、特許文献１に記載されたものが知られている。即ち、図１０に示すように、モニタ２０において画面２２がワイドアスペクトとなった表示画面であり、そこにアスペクト比４：３のＳＤ映像２５を表示する場合には、ＳＤ映像２５は水平方向に区間Ａ、区間Ｂを空けて中央に表示される。
【特許文献１】特開平４−１２７６７０号公報（第４頁）
【発明の開示】
【発明が解決しようとする課題】
【０００３】
しかしながら上記のような構成では、一点鎖線２６で囲ったような日付、テープ残量表示といった映像上に付加されるＯＳＤ（オンスクリーンディスプレイ）表示を行なった場合、ＳＤ映像２５と大部分が重なってＯＳＤ表示とともにＳＤ映像そのものも見にくくなるという課題があった。これを解決する手法として、特開平８−１３９９７１号公報では、映像を縮小して余白を造り、その余白部に表示するようにしているが、このようにすると映像そのものが小さくなって見にくくなる。
【０００４】
本発明は上記の問題点に鑑み、ＳＤ映像を小さくすることなくＯＳＤ表示を明瞭に表示することのできるワイドアスペクト画像表示装置を提供するものである。
【課題を解決するための手段】
【０００５】
この課題を解決するために本発明は、アスペクト比が４：３より横長であるワイドアスペクト画像を表示する装置であって、入力映像のアスペクト比が４：３であることを検出する検出手段と、該検出手段による検出結果に基づき水平方向の表示位置を決定する表示位置決定手段とを備え、前記検出手段により映像のアスペクト比が４：３と検出手段されたとき、前記表示位置決定手段が、表示すべき映像を右、或いは左のいずれか一方に寄せて表示するようにしたものである。
【発明の効果】
【０００６】
以上のように本発明によれば、ＳＤ映像を小さくすることなく、しかも、ＯＳＤ表示を明瞭に表示するという効果が得られる。
【発明を実施するための最良の形態】
【０００７】
本発明の請求項１に係るは、画面のアスペクト比が４：３より横長であるワイドアスペクト画像を表示する装置であって、入力映像のアスペクト比が４：３であることを検出する検出手段と、該検出手段による検出結果に基づき水平方向の表示位置を決定する表示位置決定手段とを備え、前記検出手段により映像のアスペクト比が４：３と検出手段されたとき、前記表示位置決定手段が、表示すべき映像を右、或いは左のいずれか一方に寄せて表示するようにしたものであり、これにより何も表示されない部分を一箇所にまとめるという作用を有する。
【０００８】
また、請求項２に係る発明は上記請求項１の発明に対し、前記ワイドアスペクト画像表示装置がＯＳＤ（オンスクリーンディスプレイ）表示機能を有しており、前記検出手段により映像のアスペクト比が４：３と検出手段されたとき、表示すべき映像が存在しない領域にＯＳＤ表示を行なうようにしたものであり、これによりＯＳＤ表示と映像が重ならず、いずれもがより明細に見えるという作用を有する。
【０００９】
また、請求項３に係る発明は上記請求項１の発明に対し、前記ワイドアスペクト画像表示装置がモニタを備えているものであり、これによりビデオ撮影時においてより見やすい位置にモニタ映像を配置するという作用を有する。
【００１０】
また、請求項４に係る発明は上記請求項３の発明に対し、前記モニタは、本体と所定の軸を中心に回動可能に設けられるものであり、これによりモニタを様々な角度にして撮影を行なうことができるという作用を有する。
【００１１】
また、請求項５に係る発明は上記請求項４の発明に対し、前記モニタがタッチパネル機能を有しており、前記表示位置決定手段は、前記検出手段により映像のアスペクト比が４：３と検出手段されたとき、表示すべき映像が前記軸側に寄せられて表示されるものであり、これによりモニタを格納状態から少しだけ開いた状態であっても、タッチパネル上にある操作用箇所を簡単に触れることができるという作用を有する。
【００１２】
また、請求項６に係る発明は上記請求項４の発明に対し、前記表示位置決定手段は、前記検出手段により映像のアスペクト比が４：３と検出手段されたとき、表示すべき映像が軸側と反対側に寄せられて表示されるものであり、これによりモニタの格納状態から少しだけ開いた状態であっても、モニタ画面がより明確に見えるという作用を有する。
【００１３】
また、請求項７に係る発明は上記請求項４の発明に対して、前記表示位置決定手段は、前記検出手段により映像のアスペクト比が４：３と検出手段されたとき、前記モニタの本体に対する位置に応じ、映像の表示位置を変化させるようにしたものであり、これにより録画時と再生時、或いは、自己撮影モード時と通常の撮影モード時でモニタ画面における映像表示位置がより見やすい位置に配置できる、或いは、タッチパネルを有するものであれば、より操作がしやすい位置にコマンド用表示を位置できるという作用を有する。
【００１４】
以下、本発明の実施の形態について図面を用いて説明する。
【００１５】
（実施の形態）
図１は、本発明の実施の形態によるワイドアスペクト画像表示装置の構成を示すブロック図である。同図において、検出手段１は、映像信号Ｓがワイドアスペクトを有する映像信号（以後「ワイド映像」と称す）であるのか、ＳＤ映像であるのかを検出し、アスペクト情報として出力するとともに、モニタ７の位置がどのようになっているのかを検出し、モニタ位置情報として出力する。
【００１６】
モニタ位置とは、図６、図７、図８に示すとおり、モニタ２０の位置がビデオカメラ本体９の使用状況に応じていろいろと変えられるようになっており、ビデオカメラ本体９に対して相対的にどの位置にあるかを示すものである。このモニタ２０の位置の検出は、例えば、モニタ２０を回動可能に構成する回転軸に設けられたセンサー等により検出することができる。
【００１７】
制御回路２は、アスペクト情報及びモニタ位置情報に基づき、映像移動手段３及びＯＳＤ作成回路５に対して、映像信号Ｓのモニタ画面上における表示位置、ＯＳＤ表示位置に対する制御信号を送出する。
【００１８】
映像移動手段３は入力された映像信号Ｓを制御回路２出力に基づき、左右方向に移動させる。ここでは、水平同期の位置をずらすことで映像信号Ｓを左右に移動させるようにしている。移動後の映像信号は録画用出力ＶＳとして出力される。
【００１９】
ＯＳＤ作成回路５は、表示データＨＤを同期分離回路４によって得られた同期信号Ｈ，Ｖと制御回路２より入力される制御信号に基づきＯＳＤ表示を作成し、ＯＳＤ表示信号ＨＳとして出力する。ＯＳＤ表示信号ＨＳは映像信号混合回路６によって録画用出力ＶＳと混合され、表示用映像信号ＭＳとしてモニタ７に与えられ表示される。
【００２０】
次に図１に示すワイドアスペクト画像表示装置の動作について、図２に示すフローチャートとともに説明する。
【００２１】
検出手段１によってアスペクト比の検出を行う（ステップ１０）。検出手段１よる検出の結果、アスペクト情報がワイド映像（４：３以外）であった場合（ステップ１１）は、モニタ画面と映像のアスペクト比が等しいので、映像移動手段３は、モニタ画面いっぱいに映像信号Ｓを表示する。この時、モニタ位置情報は無視され、通常の表示が行われる（ステップ１２）。
【００２２】
アスペクト情報がＳＤ映像であった場合、即ちステップ１１においてＹｅｓとなった場合は、モニタ位置情報の如何により異なる制御を行なう。まず、このときの映像信号Ｓがどうなっているかを述べると、図１０に示されるように、画面２２両端の横方向で各１２．５％が無効化されている（通常、黒に置き換えられる）。そこで、図６に示す通常撮影モードである場合、即ちステップ１３においてモニタ位置の検出を行い、その結果ステップ１４の判定がＹｅｓとなった場合は、図３に示すようにＳＤ映像２５を画面２２の右端に寄せ（ステップ１６）、画面表示が開始される（ステップ１７）。
【００２３】
ＯＳＤ作成回路５では表示データＨＤを左端の横方向で全体の２５％の区域内に表示するようＯＳＤ表示信号ＨＳを作成している。ここでは、表示データＨＤとして日付（Ｄａｔｅ）、テープ残量、電池残量、また、枠で囲った「ＥＰモード」と「セピア」とを表示している。
【００２４】
また、本実施の形態では画面２２にタッチパネルを用いており、「ＥＰモード」と「セピア」と表示した箇所がＥＰモードボタン２８、セピアボタン２９となっており、これらを押すとＥＰモード（節約モード、長時間記録モードとも称される）、或いはセピア色での記録モードになるようになっている。
【００２５】
ＯＳＤ作成回路５によって作成されたＯＳＤ表示信号ＨＳが映像信号混合回路６によって映像移動手段３出力と重ね合わされ、モニタ７に出力される。ここで、前述のとおり、ＳＤ映像２５は図３に示すように画面２２の右端に寄せて表示されている。こうすることで、画面２２の左側範囲Ａで示した箇所にまとまった空白域を得ることができ、一方、ＯＳＤ表示はＯＳＤ作成回路５によって左端２５％の区域に表示するようにしているので、ＯＳＤ表示とＳＤ映像２５は重なることなくそれぞれが明瞭に表示される。しかも、ＯＳＤ表示を、ビデオカメラ本体９とモニタ２０の接合部２１とは逆の側に配置してあるため、例えば、人混み等のためにモニタ２０をビデオカメラ本体９と９０度の位置にまで開くことができないような場合であっても、タッチパネルを触ってのコマンド入力を容易に行なうことができる。
【００２６】
次に、モニタ２０の位置が図７に示すセルフ撮影モード（撮影者自身をビデオ撮影するモード）である場合は以下のとおりとなる。この状態は、図６に示すモニタ２０の位置から図７の矢印によって示されるように１８０度回転したものである。このモードにおいては、検出手段１による検出により、ステップ１４がＮｏとなり、図４に示すようにＳＤ映像２５を、接合部２１の側である画面２２の左端に寄せて表示するよう制御回路２が映像移動手段３に対して制御信号を出力し（ステップ１５）、ＯＳＤ作成回路５に対しては、ＯＳＤ表示を画面２２の右端側に寄せて表示するよう制御信号を出力する。
【００２７】
このように制御信号を出力するようにしたため、セルフ撮影モードにおいては、画面２２の左側にＳＤ映像２５が表示され、画面２２の右側に範囲Ａで示す箇所に纏まったスペースが出来るのでＯＳＤ表示がＳＤ映像２５と重なることなく表示でき、しかも、接合部２１とは逆のサイドになるので、例えば、タッチパネルを触ってのコマンド入力を行なう際にＳＤ映像２５を手で覆うことなくコマンド入力を行うことができる。
【００２８】
次に、モニタ２０の位置が図８に示す場合は以下のとおりとなる。この状態は、図７に示すモニタ２０の位置から、そのままビデオカメラ本体１にモニタ２０が格納されたものであり、通常格納される状態とは裏返しの状態となったものである。この状態は、通常、録画した映像を再生する場合に用いられる（以下この状態を再生モードと称す）。このモードにおいては、検出手段１による検出により、ステップ１４がＮｏとなり、図５に示すようにＳＤ映像２５を画面２２の左端に寄せて表示するよう制御回路２が映像移動手段３に対して制御信号を出力し（ステップ１５）、ＯＳＤ作成回路５に対しては、ＯＳＤ表示を画面２２の右端側に寄せて表示するよう制御信号を出力する。
【００２９】
このように制御信号を出力するようにしたため、再生モードにおいては、画面２２の左側にＳＤ映像２５が表示され、画面２２の右側に範囲Ａで示す箇所に纏まったスペースが出来るのでＯＳＤ表示がＳＤ映像２５と重なることなく表示できる。しかも、再生方法を制御するための種々のボタン、即ち、再生／一時停止ボタン４１、停止ボタン４２、早戻しボタン４３、早送りボタン４４を画面２２の右側に配置するようにしているので、タッチパネルを触って画面の制御を行なう際に、もし右手でその作業を行う場合（右利きの人が多いためこの可能性の方が高い）、ＳＤ映像２５を手で覆うことなくコマンド入力を行うことができる。
【００３０】
なお、画面２０がタッチパネルでない場合は、図９に示すようにＳＤ映像２５を接合部２１とは反対側の画面２０左側に配置するようにしてもよい。即ち、画面２２を手で触れる必要がないので、モニタ２０が半開き状態でも画面が見やすいモニタ２０外側に配置するものである。あるいは、モニタ２０が半開き状態はモニタ２０の外側、全開の時はモニタ２０の内側、といった具合に、モニタ２０の開き具合に応じてＳＤ映像２５が表示される位置を変えてもよい。あるいは、例えば、日光がモニタ２０に当たるような場合には、ＳＤ映像２５をビデオカメラ本体１近くに配置してビデオカメラ本体１の影になるようにした方が、画面２２が見やすくなるため、マニュアル操作によって、ＳＤ映像２５が表示される場所を変えられるようにしてもよい。
【００３１】
また、セルフ撮影モードでは、図７で示すとおり、モニタ２０が１８０度回転した状態となっているが、これは、特に回路的に何も処理を行なわないと通常撮影モードにおけるモニタ２０の上部が下部になってしまう。このため映像信号Ｓの上下を入れ替える装置が必要となるが、よく知られた技術であるので、この実施の形態では特に示していない。また、セルフ撮影モードにおいては、モニタ２０に映し出される映像を鏡映像（モニタ２０を鏡に見立てた映像）にする場合もあるが、要は、最終的に映し出される映像においてＯＳＤ表示がどこに配置されるかが重要であって、上下反転や左右反転の処理は設計的事項である。
【産業上の利用可能性】
【００３２】
本発明にかかるワイドアスペクト画像表示装置は、ワイドアスペクトを有する画像表示装置にアスペクト比４：３の映像を表示しているのでビデオムービー以外にも、高精細度テレビ等のワイドアスペクト画像を扱う種々の映像機器の用途にも適応できる。
【図面の簡単な説明】
【００３３】
【図１】本発明の実施の形態によるワイドアスペクト画像表示装置の構成を示すブロック図
【図２】同ワイドアスペクト画像表示装置における処理のフローを表すフロー図
【図３】同ワイドアスペクト画像表示装置の表示映像を説明するための模式図
【図４】同ワイドアスペクト画像表示装置の表示映像を説明するための模式図
【図５】同ワイドアスペクト画像表示装置の表示映像を説明するための模式図
【図６】同ワイドアスペクト画像表示装置をビデオムービーに用いた場合を説明するための斜視図
【図７】同ワイドアスペクト画像表示装置をビデオムービーに用いた場合を説明するための斜視図
【図８】同ワイドアスペクト画像表示装置をビデオムービーに用いた場合を説明するための斜視図
【図９】同ワイドアスペクト画像表示装置の表示映像を説明するための模式図
【図１０】従来のワイドアスペクト画像表示装置の表示映像を説明するための模式図
【符号の説明】
【００３４】
１    検出手段
２    制御回路
３    映像移動手段
４    同期信号分離回路
５    ＯＳＤ作成回路
６    映像混合回路
７、２０    モニタ
【図１】
2006332938.tif 000003
【図２】
2006332938.tif 000004
【図３】
2006332938.tif 000005
【図４】
2006332938.tif 000006
【図５】
2006332938.tif 000007
【図６】
2006332938.tif 000008
【図７】
2006332938.tif 000009
【図８】
2006332938.tif 000010
【図９】
2006332938.tif 000011
【図１０】
2006332938.tif 000012